(57)【要約】【課題】輝度信号の周波数スペクトラムの欠落による映像の乱れが生じないフロントエンド回路を実現する。【解決手段】本発明に係るフロントエンド回路１１０は、ローカル信号を発振するＶＣＯ６と、ＲＦ信号Ｆｒｆをベースバンド信号に変換するミキサ３と、ベースバンド信号に含まれるＤＣオフセットを検出して当該ＤＣオフセットを除去するＤＣオフセットキャンセル回路８と、ローカル信号の周波数を制御するローカル周波数制御回路１７と、を有する。ローカル周波数制御回路１７は、ＲＦ信号Ｆｒｆがアナログテレビ信号である場合に、ベースバンド信号の周波数が、ベースバンド信号を復調したビデオ信号に含まれる輝度信号の各周波数スペクトラムと異なるように、ローカル信号の周波数を制御する。【選択図】図１
2011055202.tif 000002
【特許請求の範囲】
【請求項１】
ローカル信号を発振する局所発振回路と、
上記ローカル信号と受信信号とを混合して周波数変換することにより、上記受信信号をベースバンド信号に変換する周波数変換回路と、
上記ベースバンド信号に含まれるＤＣオフセットを検出して当該ＤＣオフセットを除去するＤＣオフセットキャンセル回路と、
上記ローカル信号の周波数を制御するローカル周波数制御回路と、
を有するダイレクトコンバージョン方式のフロントエンド回路において、
上記受信信号がアナログテレビ信号である場合に、
上記ローカル周波数制御回路は、上記ベースバンド信号の周波数が、上記ベースバンド信号を復調したビデオ信号に含まれる輝度信号の各周波数スペクトラムと異なるように、上記ローカル信号の周波数を制御することを特徴とするフロントエンド回路。
【請求項２】
請求項１に記載のフロントエンド回路において、
上記ローカル信号の周波数誤差を検出する周波数誤差検出回路をさらに有し、
上記ローカル周波数制御回路は、上記周波数誤差に基づいて、上記ベースバンド信号の周波数が、上記ベースバンド信号を復調したビデオ信号に含まれる輝度信号の各周波数スペクトラムと異なるように、上記ローカル信号の周波数を制御することを特徴とするフロントエンド回路。
【請求項３】
請求項１または２に記載のフロントエンド回路において、
上記ローカル周波数制御回路は、上記ベースバンド信号の周波数が、上記輝度信号の隣接する周波数スペクトラム同士の相加平均となるように、上記ローカル信号の周波数を制御することを特徴とするフロントエンド回路。
【請求項４】
請求項１、２または３に記載のフロントエンド回路において、
上記局所発振回路が発振可能な上記ローカル信号の周波数間隔は、上記輝度信号の各周波数スペクトラムの間隔のａ＋ｂ倍（ａは自然数、ｂは小数）であることを特徴とするフロントエンド回路。
【請求項５】
請求項４に記載のフロントエンド回路において、
上記局所発振回路が発振可能な上記ローカル信号の周波数間隔は、上記輝度信号の各周波数スペクトラムの間隔より小さいことを特徴とするフロントエンド回路。
【請求項６】
請求項５に記載のフロントエンド回路において、
上記局所発振回路が発振可能な上記ローカル信号の周波数間隔と、上記ＤＣオフセットキャンセル回路が上記ＤＣオフセットを除去することにより上記ビデオ信号において除去される周波数帯域幅との和は、
上記輝度信号の各周波数スペクトラムの間隔より小さいことを特徴とするフロントエンド回路。
【請求項７】
請求項２に記載のフロントエンド回路において、
上記周波数誤差検出回路の上記周波数誤差の検出精度に相当する周波数幅の２倍の値と、
上記ＤＣオフセットキャンセル回路が上記ＤＣオフセットを除去することにより上記ビデオ信号において除去される周波数帯域幅との和は、
上記輝度信号の各周波数スペクトラムの間隔より小さいことを特徴とするフロントエンド回路。
【請求項８】
請求項２に記載のフロントエンド回路において、
上記周波数誤差検出回路の上記周波数誤差の検出精度に相当する周波数幅の２倍の値と、
上記局所発振回路が発振可能な上記ローカル信号の周波数間隔との和は、
上記輝度信号の各周波数スペクトラムの間隔より小さいことを特徴とするフロントエンド回路。
【請求項９】
請求項７または８に記載のフロントエンド回路において、
上記周波数幅の２倍の値と、
上記ＤＣオフセットキャンセル回路が上記ＤＣオフセットを除去することにより上記ビデオ信号において除去される周波数帯域幅と、
上記局所発振回路が発振可能な上記ローカル信号の周波数間隔との和は、
上記輝度信号の各周波数スペクトラムの間隔より小さいことを特徴とするフロントエンド回路。
【請求項１０】
請求項２、７、８または９に記載のフロントエンド回路において、
上記ローカル周波数制御回路は、上記周波数誤差が所定の閾値を超える場合に、上記ローカル信号の周波数を切り替えることを特徴とするフロントエンド回路。
【請求項１１】
請求項１０に記載のフロントエンド回路において、
上記周波数誤差検出回路は、所定の期間が経過する毎に、検出した周波数誤差を上記ローカル周波数制御回路に出力することを特徴とするフロントエンド回路。
【請求項１２】
請求項１〜１１のいずれか１項に記載のフロントエンド回路において、
上記ＤＣオフセットキャンセル回路は、垂直帰線区間に上記ＤＣオフセットを検出することを特徴とするフロントエンド回路。
【請求項１３】
請求項１０または１１に記載のフロントエンド回路において、
上記ローカル周波数制御回路は、垂直帰線区間に上記ローカル信号の周波数を切り替えることを特徴とするフロントエンド回路。
【請求項１４】
請求項２、７〜１１のいずれか１項に記載のフロントエンド回路において、
上記周波数誤差検出回路は、垂直帰線区間に上記ローカル信号の周波数誤差を検出することを特徴とするフロントエンド回路。
【請求項１５】
請求項１〜１４のいずれか１項に記載のフロントエンド回路において、
上記ローカル周波数制御回路は、上記ベースバンド信号の周波数が、上記ベースバンド信号を復調したビデオ信号に含まれる色信号の各周波数スペクトラムと異なるように、上記ローカル信号の周波数を制御することを特徴とするフロントエンド回路。
【請求項１６】
請求項１〜１５のいずれか１項に記載のフロントエンド回路において、
上記ローカル周波数制御回路は、上記ベースバンド信号の周波数が、上記ベースバンド信号を復調した音声信号の各周波数スペクトラムと異なるように、上記ローカル信号の周波数を制御することを特徴とするフロントエンド回路。
【請求項１７】
請求項１〜１６のいずれか１項に記載のフロントエンド回路を搭載したチューナ。
【請求項１８】
請求項１７に記載のチューナを搭載したテレビ放送受信機。
【発明の詳細な説明】
【技術分野】
【０００１】
本発明は、テレビ放送受信機等に使用されるチューナおよびフロントエンド回路に関するものであり、特に、アナログテレビ信号をダイレクトコンバージョン方式で受信する場合の局所発振信号の周波数制御に関するものである。
【背景技術】
【０００２】
近年の電子機器の発展に伴い、受信機の低価格化の要求が高まってきている。黒田忠広監訳「ＲＦマイクロエレクトロニクス」（丸善株式会社）の５．２．１節および５．２．２節に記載されているように、ダイレクトコンバージョン方式（ゼロＩＦ方式とも呼ばれる）による受信方式では、受信信号が直接ベースバンド信号に変換されるため、原理的にイメージ応答が存在せず、ヘテロダイン方式で必要となるイメージ除去用の急峻なフィルタ特性を持つフィルタが不要である。これにより、ダイレクトコンバージョン方式による受信方式は、チャネル選択用のフィルタを集積回路（ＩＣ）上で実現することが可能になるため、低価格化の要求に応える受信方式として注目を集めている。
【０００３】
図１０は、従来のダイレクトコンバージョン方式の受信機におけるチューナ４００の基本的な構成を示すブロック図である。チューナ４００は、フロントエンド回路４１０および復調回路９を備えている。フロントエンド回路４１０は、可変利得アンプ（ＲＦＶＧＡ）２、乗算器（ミキサ）３、ローパスフィルタ４、可変利得アンプ（ＩＦＶＧＡ）５、局所発振器（ＶＣＯ）６、ローカル周波数制御回路７およびＤＣオフセットキャンセル回路８を有している。
【０００４】
ＲＦＶＧＡ２は、アンテナ１で受信されたＲＦ信号Ｆｒｆを増幅する。増幅された信号は、ミキサ３によって、後述する局所発振信号（以下、ローカル信号とも称する）とミキシングされることにより周波数変換が行われ、ベースバンド信号に変換される。ローパスフィルタ４は、ベースバンド信号の希望信号帯域外の成分を減衰させ、希望信号を選択する。その後、希望信号は、ＩＦＶＧＡ５によって増幅され、ＩＦ出力として復調回路９に出力される。復調回路９は、ＩＦ出力を映像信号および音声信号に復調する。
【０００５】
一方、ローカル信号はＶＣＯ６よって生成される。また、ローカル周波数制御回路７は、ミキサ３から出力されるベースバンド信号の周波数が所定の周波数となるように、ＲＦ信号の周波数に応じて、ローカル信号の周波数を制御する。
【０００６】
ここで、ダイレクトコンバージョン方式の受信機特有の問題点について説明する。ＶＣＯ６からのローカル信号が、ミキサ３のＲＦポートにリークした場合、ミキサ３においてＶＣＯ６からのローカル信号とリークしたローカル信号とがミキシングされる（セルフミキシング）。この場合、ＶＣＯ６からのローカル信号とリークしたローカル信号とは周波数が同じであるため、ミキサ３から出力されるベースバンド信号の中に直流成分（ＤＣオフセット）が含まれることとなる。このＤＣオフセットは、後段回路を飽和させるおそれがある。
【０００７】
このため、フロントエンド回路４１０では、ＤＣオフセットキャンセル回路８によって、ＩＦＶＧＡ５の出力に含まれるＤＣオフセットを除去している。ＤＣオフセットを除去する方法として、例えば、下記の特許文献１および２に記載の技術が提案されている。
【先行技術文献】
【特許文献】
【０００８】
【特許文献１】特開平１０−９３６４７号公報（１９９８年４月１０日公開）
【特許文献２】特開２００３−２７６９４５号公報（２００３年９月２６日公開）
【発明の概要】
【発明が解決しようとする課題】
【０００９】
しかしながら、受信されるＲＦ信号Ｆｒｆがアナログテレビ信号である場合、ＤＣオフセットを除去すると、復調されたビデオ信号に含まれる輝度信号の一部が欠落する可能性があるという問題を生じる。
【００１０】
図１１は、ビデオ信号に含まれる輝度信号の周波数スペクトラムを示す図である。Ｆｈはライン周波数を表しており、具体的には、Ｆｈ＝４．５ＭＨｚ／２８６＝１５．７３４ｋＨｚである。映像が垂直方向に似た波形を持つ性質があるため、輝度信号の各周波数スペクトラムは、ライン周波数の整数倍に等しいという性質がある。
【００１１】
例えば、図１０に示すチューナ４００において、アンテナ１によって受信されるＲＦ信号ＦｒｆがＶＨＦ１ｃｈのアナログテレビ信号である場合を例に説明する。１ｃｈのアナログテレビ信号は、中心周波数が９３ＭＨｚであり、映像周波数が９１．２５ＭＨｚである。そのため、ローカル周波数制御回路７は、ＶＣＯ６が中心周波数と等しい９３ＭＨｚのローカル信号を出力するように制御する。その結果、ミキサ３から出力されローパスフィルタ４を通過したベースバンド信号の周波数は、９３ＭＨｚ−９１．２５ＭＨｚ＝１．７５ＭＨｚとなる。このため、ＤＣオフセットキャンセル回路８によってＤＣオフセットが除去されると、復調されたビデオ信号におけるベースバンド信号の周波数成分が欠落する。
【００１２】
図１２は、図１１に示すビデオ信号において、ベースバンド信号の周波数成分が欠落した状態を示す図である。上述のように、ベースバンド信号の周波数は１．７５ＭＨｚであるため、ビデオ信号における１．７５ＭＨｚの成分、すなわち、１１２．２２（＝１．７５ＭＨｚ／１５．７３４ｋＨｚ）＊Ｆｈの成分が欠落する。ここで、欠落する周波数成分は、ある程度の帯域幅を有しており、図１２において欠落する周波数帯域幅が斜線で示されている。
【００１３】
図１２では、輝度信号の１１１＊Ｆｈの周波数スペクトラムが、斜線で示される周波数帯域の範囲外にあるので、輝度信号は欠落しない。しかしながら、図１０に示すＶＣＯ６から出力されるローカル信号は、通常、ある程度の周波数偏差を持っている。そのため、ローカル信号の周波数が、所望の周波数（９３ＭＨｚ）よりも低い場合、図１２において、輝度信号の１１１＊Ｆｈの周波数スペクトラムが、斜線で示される周波数帯域の範囲内になると、輝度信号の１１１＊Ｆｈの周波数スペクトラムが欠落する可能性がある。
【００１４】
一般的に、デジタル信号の場合は、ＤＣオフセットが除去されることにより、一部の周波数成分が欠落したとしても、エラー補正されるため、問題はない。一方、受信されるＲＦ信号がアナログテレビ信号である場合、輝度信号の周波数スペクトラムの一部が欠落すると、映像が乱れてしまうという問題を生じる。
【００１５】
本発明は、上記の問題点を解決するためになされたもので、その目的は、輝度信号の周波数スペクトラムの欠落による映像の乱れが生じないフロントエンド回路を実現することにある。
【課題を解決するための手段】
【００１６】
上記の課題を解決するために、本発明に係るフロントエンド回路は、ローカル信号を発振する局所発振回路と、上記ローカル信号と受信信号とを混合して周波数変換することに
より、上記受信信号をベースバンド信号に変換する周波数変換回路と、上記ベースバンド信号に含まれるＤＣオフセットを検出して当該ＤＣオフセットを除去するＤＣオフセットキャンセル回路と、上記ローカル信号の周波数を制御するローカル周波数制御回路と、有するダイレクトコンバージョン方式のフロントエンド回路において、上記受信信号がアナログテレビ信号である場合に、上記ローカル周波数制御回路は、上記ベースバンド信号の周波数が、上記ベースバンド信号を復調したビデオ信号に含まれる輝度信号の各周波数スペクトラムと異なるように、上記ローカル信号の周波数を制御することを特徴としている。
【００１７】
上記の構成によれば、周波数変換回路は、局所発振回路からのローカル信号と受信信号とを混合して周波数変換することにより、受信信号をベースバンド信号に変換する。これにより、ベースバンド信号の周波数は、ローカル信号の周波数から受信信号の周波数を減算した値となる。また、ＤＣオフセットキャンセル回路は、ベースバンド信号に含まれるＤＣオフセットを検出して当該ＤＣオフセットを除去する。ここで、受信信号がアナログテレビ信号である場合、ベースバンド信号を復調したビデオ信号では、ベースバンド信号と同一の周波数成分が欠落する。これに対し、ローカル信号の周波数を制御するローカル周波数制御回路は、ベースバンド信号の周波数が、ビデオ信号に含まれる輝度信号の各周波数スペクトラムと異なるように、上記ローカル信号の周波数を制御する。そのため、輝度信号の周波数スペクトラムの欠落を防止できる。したがって、輝度信号の周波数スペクトラムの欠落による映像の乱れが生じないフロントエンド回路を実現できるという効果を奏する。
【００１８】
本発明に係るフロントエンド回路では、上記ローカル信号の周波数誤差を検出する周波数誤差検出回路をさらに有し、上記ローカル周波数制御回路は、上記周波数誤差に基づいて、上記ベースバンド信号の周波数が、上記ベースバンド信号を復調したビデオ信号に含まれる輝度信号の各周波数スペクトラムと異なるように、上記ローカル信号の周波数を制御することが好ましい。
【００１９】
上記の構成によれば、周波数制御のための基準信号の周波数偏差によって、ローカル信号に周波数誤差が生じている場合であっても、周波数誤差検出回路がローカル信号の周波数誤差を検出し、ローカル周波数制御回路が、その周波数誤差に基づいて、ベースバンド信号の周波数が、ベースバンド信号を復調したビデオ信号に含まれる輝度信号の各周波数スペクトラムと異なるように、上記ローカル信号の周波数を制御する。すなわち、ローカル周波数制御回路は、ローカル信号の周波数誤差分を補正して、ローカル信号の周波数を制御するので、局所発振回路が所望の周波数のローカル信号を出力できない場合であっても、輝度信号の周波数スペクトラムの欠落を防止できる。
【００２０】
本発明に係るフロントエンド回路では、上記ローカル周波数制御回路は、上記ベースバンド信号の周波数が、上記輝度信号の隣接する周波数スペクトラム同士の相加平均となるように、上記ローカル信号の周波数を制御することが好ましい。
【００２１】
上記の構成によれば、輝度信号の隣接する周波数スペクトラム同士の相加平均の周波数、すなわち、隣接する周波数スペクトラムのちょうど中間の周波数が、欠落することになる。これにより、ローカル信号の周波数に多少の誤差が生じても、輝度信号の周波数スペクトラムが欠落することはない。
【００２２】
本発明に係るフロントエンド回路では、上記局所発振回路が発振可能な上記ローカル信号の周波数間隔は、上記輝度信号の各周波数スペクトラムの間隔のａ＋ｂ倍（ａは自然数、ｂは小数）であることが好ましい。
【００２３】
上記の構成によれば、欠落させる周波数が輝度信号の周波数スペクトラムの最大値より大きくなるまで、ローカル信号の周波数を増加させる必要がなくなるので、ローカル信号の周波数制御が容易になる。
【００２４】
本発明に係るフロントエンド回路では、上記局所発振回路が発振可能な上記ローカル信号の周波数間隔は、上記輝度信号の各周波数スペクトラムの間隔より小さいことが好ましい。
【００２５】
上記の構成によれば、ローカル周波数制御回路は、欠落させるビデオ信号の周波数を、輝度信号の任意の周波数スペクトラム間に選択することが可能となる。
【００２６】
本発明に係るフロントエンド回路では、上記局所発振回路が発振可能な上記ローカル信号の周波数間隔と、上記ＤＣオフセットキャンセル回路が上記ＤＣオフセットを除去することにより上記ビデオ信号において除去される周波数帯域幅との和は、上記輝度信号の各周波数スペクトラムの間隔より小さいことが好ましい。
【００２７】
上記の構成によれば、初期状態において、欠落する周波数帯域が輝度信号の周波数スペクトラムと重なる場合であっても、ローカル信号の切り替え幅を最小とすることができる。これにより、ローカル周波数制御回路による周波数制御がさらに容易になる。
【００２８】
本発明に係るフロントエンド回路では、上記周波数誤差検出回路の上記周波数誤差の検出精度に相当する周波数幅の２倍の値と、上記ＤＣオフセットキャンセル回路が上記ＤＣオフセットを除去することにより上記ビデオ信号において除去される周波数帯域幅との和は、上記輝度信号の各周波数スペクトラムの間隔より小さいことが好ましい。
【００２９】
上記の構成によれば、欠落する周波数が、少なくとも輝度信号の隣接する周波数スペクトラムの中間の周波数であれば、すなわち、輝度信号の隣接する周波数スペクトラム同士の相加平均であれば、輝度信号の周波数スペクトラムが欠落することはない。
【００３０】
本発明に係るフロントエンド回路では、上記周波数誤差検出回路の上記周波数誤差の検出精度に相当する周波数幅の２倍の値と、上記局所発振回路が発振可能な上記ローカル信号の周波数間隔との和は、上記輝度信号の各周波数スペクトラムの間隔より小さいことが好ましい。
【００３１】
上記の構成によれば、ローカル周波数制御回路は、欠落させるビデオ信号の周波数を、輝度信号の任意の周波数スペクトラム間に選択することが可能となる。
【００３２】
本発明に係るフロントエンド回路では、上記周波数幅の２倍の値と、上記ＤＣオフセットキャンセル回路が上記ＤＣオフセットを除去することにより上記ビデオ信号において除去される周波数帯域幅と、上記局所発振回路が発振可能な上記ローカル信号の周波数間隔との和は、上記輝度信号の各周波数スペクトラムの間隔より小さいことが好ましい。
【００３３】
上記の構成によれば、ローカル周波数制御回路による周波数制御がさらに容易になる。
【００３４】
本発明に係るフロントエンド回路では、上記ローカル周波数制御回路は、上記周波数誤差が所定の閾値を超える場合に、上記ローカル信号の周波数を切り替えることが好ましい。
【００３５】
上記の構成によれば、時間の経過とともに周波数誤差が増大しても、ローカル周波数制御回路がローカル信号の周波数を切り替えることにより、欠落させるビデオ信号の周波数
を再選択するので、周波数誤差の変化に対応できる。
【００３６】
本発明に係るフロントエンド回路では、上記周波数誤差検出回路は、所定の期間が経過する毎に、検出した周波数誤差を上記ローカル周波数制御回路に出力することが好ましい。
【００３７】
上記の構成によれば、周波数誤差検出回路が、検出した周波数誤差をローカル周波数制御回路に常時出力する場合に比べ、フロントエンド回路の消費電力を抑えることができる。
【００３８】
本発明に係るフロントエンド回路では、上記ＤＣオフセットキャンセル回路は、垂直帰線区間に上記ＤＣオフセットを検出することが好ましい。
【００３９】
上記の構成によれば、ＤＣオフセットキャンセル回路のＤＣオフセット検出動作の際に発生するノイズによる映像の乱れを回避することができる。
【００４０】
本発明に係るフロントエンド回路では、上記ローカル周波数制御回路は、垂直帰線区間に上記ローカル信号の周波数を切り替えることが好ましい。
【００４１】
上記の構成によれば、ローカル周波数制御回路がローカル信号の周波数を切り替えるときに発生するノイズによる映像の乱れを回避することができる。
【００４２】
本発明に係るフロントエンド回路では、上記周波数誤差検出回路は、垂直帰線区間に上記ローカル信号の周波数誤差を検出することが好ましい。
【００４３】
上記の構成によれば、ローカル信号の周波数誤差検出の際に周波数誤差検出回路から発生するノイズによる映像の乱れを回避することができる。
【００４４】
本発明に係るフロントエンド回路では、上記ローカル周波数制御回路は、上記ベースバンド信号の周波数が、上記ベースバンド信号を復調したビデオ信号に含まれる色信号の各周波数スペクトラムと異なるように、上記ローカル信号の周波数を制御することが好ましい。
【００４５】
上記の構成によれば、ビデオ信号に含まれる色信号の周波数スペクトラムの欠落を防止できるので、映像に乱れが生じることはない。
【００４６】
本発明に係るフロントエンド回路では、上記ローカル周波数制御回路は、上記ベースバンド信号の周波数が、上記ベースバンド信号を復調した音声信号の各周波数スペクトラムと異なるように、上記ローカル信号の周波数を制御することが好ましい。
【００４７】
上記の構成によれば、音声信号の周波数スペクトラムの欠落を防止できるので、音声に乱れが生じることはない。
【００４８】
本発明に係るチューナは、上記いずれかのフロントエンド回路を搭載している。
【００４９】
本発明に係るテレビ放送受信機は、上記のチューナを搭載している。
【００５０】
上記の構成によれば、受信信号がアナログテレビ信号の場合であっても、輝度信号の周波数スペクトラムが欠落することがないため、良好な映像表示を行うことができるテレビ放送受信機を実現できる。
【発明の効果】
【００５１】
以上のように、本発明に係るフロントエンド回路は、ローカル信号を発振する局所発振回路と、上記ローカル信号と受信信号とを混合して周波数変換することにより、上記受信信号をベースバンド信号に変換する周波数変換回路と、上記ベースバンド信号に含まれるＤＣオフセットを検出して当該ＤＣオフセットを除去するＤＣオフセットキャンセル回路と、上記ローカル信号の周波数を制御するローカル周波数制御回路と、有するダイレクトコンバージョン方式のフロントエンド回路において、上記受信信号がアナログテレビ信号である場合に、上記ローカル周波数制御回路は、上記ベースバンド信号の周波数が、上記ベースバンド信号を復調したビデオ信号に含まれる輝度信号の各周波数スペクトラムと異なるように、上記ローカル信号の周波数を制御するので、輝度信号の周波数スペクトラムの欠落による映像の乱れが生じないフロントエンド回路を実現できるという効果を奏する。
【図面の簡単な説明】
【００５２】
【図１】本発明の第１の実施例に係るチューナの構成を示すブロック図である。
【図２】一部の周波数成分が欠落した状態におけるビデオ信号を示す図である。
【図３】輝度信号の周波数スペクトラムのうち（Ｎ−１）＊ＦｈおよびＮ＊Ｆｈ（Ｎは整数）の周波数スペクトラムを示している。
【図４】ビデオ信号に含まれる輝度信号の周波数スペクトラムを示す図である。
【図５】輝度信号の周波数スペクトラムのうち（Ｎ−１）＊Ｆｈから（Ｎ＋２）＊Ｆｈ（Ｎは整数）の周波数スペクトラムを示している。
【図６】本発明の第２の実施例に係るチューナの構成を示すブロック図である。
【図７】一部の周波数成分が欠落した状態におけるビデオ信号を示す図である。
【図８】輝度信号の周波数スペクトラムのうち（Ｎ−１）＊ＦｈおよびＮ＊Ｆｈ（Ｎは整数）の周波数スペクトラムを示している。
【図９】本発明の第３の実施例に係るテレビ放送受信機の構成を示すブロック図である。
【図１０】従来のダイレクトコンバージョン方式の受信機におけるチューナの基本的な構成を示すブロック図である。
【図１１】ビデオ信号に含まれる輝度信号の周波数スペクトラムを示す図である。
【図１２】図１１に示すビデオ信号において、ベースバンド信号の周波数成分が欠落した状態を示す図である。
【発明を実施するための形態】
【００５３】
〔実施例１〕
本発明の第１の実施例について、図１ないし図５に基づいて説明すれば以下のとおりである。
【００５４】
図１は、本実施例に係るチューナ１００の構成を示すブロック図である。チューナ１００は、図１０に示す従来のチューナ４００において、フロントエンド回路４１０をフロントエンド回路１１０に置き換えた構成であり、フロントエンド回路１１０は、フロントエンド回路４１０において、ローカル周波数制御回路７の代わりにローカル周波数制御回路１７を有する構成である。なお、本実施例では、説明の便宜上、図１０に示すチューナ４００と同じ機能を有する部材については、同じ符号を付記し、その説明を省略する。
【００５５】
ローカル周波数制御回路１７は、従来のローカル周波数制御回路７が有する機能に加え、ＶＣＯ６からのローカル信号の周波数が、ベースバンド信号を復調したビデオ信号に含まれる輝度信号の各周波数スペクトラムと異なるように、ローカル信号の周波数を制御する機能をさらに有している。これにより、ビデオ信号における輝度信号の欠落が防止され
るので、映像の乱れが生じることはない。続いて、アンテナ１によって受信されるＲＦ信号Ｆｒｆ（受信信号）がＶＨＦ１ｃｈのアナログテレビ信号（中心周波数：９３ＭＨｚ、映像周波数：９１．２５ＭＨｚ）である場合を例に、具体的に説明する。
【００５６】
〔発明が解決しようとする課題〕において説明したように、従来のローカル周波数制御回路７が、ＶＣＯ６からのローカル信号の周波数を中心周波数と等しい９３ＭＨｚに制御していた。これによって、図１２に示すように、ＤＣオフセットキャンセル回路８がＤＣオフセットを除去することにより、ビデオ信号の１１１．２２＊Ｆｈの周波数成分が欠落していた。しかしながら、欠落する周波数帯域幅や、ローカル信号の周波数偏差によって、輝度信号の１１１＊Ｆｈの周波数スペクトラムが欠落する可能性がある。
【００５７】
これに対し、本実施例では、ローカル周波数制御回路１７は、欠落する周波数が、輝度信号の隣接する周波数スペクトラムの中間の周波数となるように、すなわち、輝度信号の隣接する周波数スペクトラム同士の相加平均となるように、ローカル信号の周波数を制御する。例えば、図２に示すように、ローカル周波数制御回路１７は、欠落するビデオ信号の周波数が、（１１１−０．５）＊Ｆｈとなるように、ローカル信号の周波数を制御する。
【００５８】
欠落する周波数は、ローカル信号の周波数から映像周波数を減算したベースバンド信号の周波数と等しいため、ローカル周波数制御回路１７は、ローカル信号の周波数が、
９１．２５ＭＨｚ＋（１１１−０．５）＊Ｆｈ＝
９１．２５ＭＨｚ＋１１０．５＊１５．７３４ｋＨｚ＝
９１．２５ＭＨｚ＋１．７３８６３６ＭＨｚ＝９２．９８８６４ＭＨｚ
となるように制御する。その結果、１．７３８６３６ＭＨｚのビデオ信号成分が欠落する。この周波数での輝度信号の信号レベルは低いため、この周波数のビデオ信号成分が欠落しても、映像の乱れは生じない。また、欠落する周波数は、輝度信号の周波数スペクトラムの中間であるため、欠落する周波数成分の帯域幅や、ローカル信号の周波数偏差によって、欠落する周波数成分が多少変化したとしても、輝度信号の周波数スペクトラムが欠落することはない。
【００５９】
なお、上記の例では、１１０＊Ｆｈの周波数スペクトラムと１１１＊Ｆｈの周波数スペクトラムとの中間の周波数成分が欠落したが、輝度信号の各周波数スペクトラムが欠落しない値であれば、欠落する周波数成分は他の値であってもよい。
【００６０】
続いて、欠落する周波数帯域幅と、ローカル周波数制御回路１７が選択可能なローカル信号の周波数との関係について説明する。図３は、輝度信号の周波数スペクトラムのうち（Ｎ−１）＊ＦｈおよびＮ＊Ｆｈ（Ｎは整数）の周波数スペクトラムを示している。同図において、△ＤＣｏｆｆｓｅｔは、欠落する周波数帯域幅を示しており、Ｆｂ１およびＦｂ２は、それぞれ、（Ｎ−１）＊Ｆｈの周波数スペクトラムが欠落しない下限の周波数帯域、およびＮ＊Ｆｈの周波数スペクトラムが欠落しない上限の周波数帯域を示している。ベースバンド信号の周波数が（Ｎ−１）＊Ｆｈ＋ΔＤＣｏｆｆｓｅｔ／２である場合、帯域Ｆｂ１が欠落し、ベースバンド信号の周波数がＮ＊Ｆｈ−ΔＤＣｏｆｆｓｅｔ／２である場合、帯域Ｆｂ２が欠落する。したがって、一点鎖線双方向矢印にて示すように、ベースバンド信号の周波数が（Ｎ−１）＊Ｆｈ＋ΔＤＣｏｆｆｓｅｔ／２とＮ＊Ｆｈ−ΔＤＣｏｆｆｓｅｔ／２との間であれば、輝度信号の周波数スペクトラムが欠落することはない。すなわち、（Ｎ−１）＊ＦｈおよびＮ＊Ｆｈの周波数スペクトラムの間で、ローカル周波数制御回路１７が選択可能なローカル信号の周波数の帯域幅は、
Ｎ＊Ｆｈ−ΔＤＣｏｆｆｓｅｔ／２−（（Ｎ−１）＊Ｆｈ＋ΔＤＣｏｆｆｓｅｔ／２）＝Ｆｈ−ΔＤＣｏｆｆｓｅｔ
となる。
【００６１】
この式から明らかなように、欠落する周波数帯域幅ΔＤＣｏｆｆｓｅｔは、輝度信号の各周波数スペクトラムの間隔（すなわちライン周波数）未満である必要があるが、欠落する周波数帯域幅は、通常１００Ｈｚ程度であるため、ローカル信号の周波数をどの値に設定しても輝度信号の周波数スペクトラムが欠落するという状況は生じない。また、欠落する周波数帯域幅は小さいほど、ローカル周波数制御回路１７が選択可能なローカル信号の周波数の帯域幅が大きくなるので、ローカル周波数制御回路１７による周波数制御が容易になる。
【００６２】
なお、通常、ローカル周波数制御回路１７は、ＰＬＬシンセサイザによって構成されるため、ＶＣＯ６は、所定の周波数間隔でローカル信号の周波数を段階的に切り替える。ＶＣＯ６が発振可能なローカル信号の周波数間隔（以下「周波数間隔△Ｆｓｔｅｐ」とする）は、小さいほど望ましいが、本実施例では、周波数間隔△Ｆｓｔｅｐが、輝度信号の各周波数スペクトラムの間隔（＝１５．７３４ｋＨｚ）より小さくなるように設定されている。
【００６３】
図４は、ビデオ信号に含まれる輝度信号の周波数スペクトラムを示す図である。同図において、一点鎖線は、ＶＣＯ６がローカル信号の周波数を切り替えることにより、欠落する各周波数を示している。欠落する周波数はベースバンド信号の周波数と等しく、ローカル信号の周波数間隔とベースバンド信号の周波数間隔とは、互いに等しいので、欠落する各周波数の間隔は、周波数間隔△Ｆｓｔｅｐと等しくなる。
【００６４】
上記のように、周波数間隔△Ｆｓｔｅｐが、輝度信号の各周波数スペクトラムの間隔より小さいので、欠落させる周波数を、輝度信号の任意の周波数スペクトラム間に選択することが可能となる。例えば、ローカル周波数制御回路１７がローカル信号の周波数を制御した結果、欠落させる周波数が（Ｎ−１）＊Ｆｈとなって、輝度信号のスペクトラムと重なる場合に、欠落させる周波数が高周波数側または低周波数側に切り替わるように、ローカル信号の周波数を制御することにより、輝度信号の欠落を防ぐことができる。
【００６５】
さらに、周波数間隔△Ｆｓｔｅｐと、ビデオ信号において除去される周波数帯域幅との和は、輝度信号の各周波数スペクトラムの間隔より小さいことが望ましい。図５は、輝度信号の周波数スペクトラムのうち（Ｎ−１）＊Ｆｈから（Ｎ＋２）＊Ｆｈ（Ｎは整数）の周波数スペクトラムを示している。同図において、一点鎖線は、ＶＣＯ６がローカル信号の周波数を切り替えることにより、欠落する各周波数を示しており、斜線領域は、欠落する各周波数帯域を示している。また、周波数間隔△Ｆｓｔｅｐと、除去される周波数帯域幅との和は、破線双方向矢印で示されている。
【００６６】
図５では、破線双方向矢印で示される周波数帯域幅が、輝度信号の各周波数スペクトラムの間隔より小さい。このため、初期状態において、欠落する周波数帯域が最も左側の周波数帯域であるために、輝度信号の周波数スペクトラムが欠落する場合であっても、欠落させる周波数帯域を１つずらすだけで、輝度信号の周波数スペクトラムの欠落を回避できる。すなわち、ＶＣＯ６のローカル信号の切り替え幅を最小とすることができる。したがって、ローカル周波数制御回路１７による周波数制御がさらに容易になる。
【００６７】
なお、発振可能なローカル信号の周波数間隔は小さいほど望ましいため、本実施例では、フラクショナルＰＬＬなどの技術によって、ＶＣＯ６およびローカル周波数制御回路１７を実現している。
【００６８】
なお、ＶＣＯ６が発振可能なローカル信号の周波数間隔は、輝度信号の各周波数スペクトラムの間隔よりも大きくてもよい。この場合、欠落させる周波数を、輝度信号の任意の
周波数スペクトラム間に選択することはできないが、欠落させる周波数が輝度信号の周波数スペクトラムと一致しないように制御することは可能である。
【００６９】
ただし、ＶＣＯ６が発振可能なローカル信号の周波数間隔が、輝度信号の各周波数スペクトラムの間隔の整数倍と等しい場合、ローカル信号の周波数偏差などにより、欠落させる周波数が輝度信号の周波数スペクトラムと一致すると、欠落させる周波数が輝度信号のスペクトラムが消滅する周波数帯域となるまで、ローカル信号の周波数を増加させる必要がある。そのため、ＶＣＯ６が発振可能なローカル信号の周波数間隔は、輝度信号の各周波数スペクトラムの間隔の整数倍ではないことが望ましい。換言すれば、ＶＣＯ６が発振可能なローカル信号の周波数間隔は、輝度信号の各周波数スペクトラムの間隔のａ＋ｂ倍（ａは自然数、ｂは小数）であることが望ましい。
【００７０】
なお、ローカル信号の周波数の切り替えを行う際に、ＶＣＯ６やローカル周波数制御回路１７からノイズが発生するため、ローカル信号の周波数の切り替えは、垂直帰線区間に行うことが望ましい。これにより、発生したノイズに起因する映像の乱れを防止することができる。
【００７１】
また、ＤＣオフセットキャンセル回路８によるＤＣオフセットの検出動作も、垂直帰線区間に行うことが望ましい。これにより、ＤＣオフセットの検出動作の際に発生するノイズによって映像が乱れることはない。この場合、垂直走査期間以外の期間では、ＤＣオフセットキャンセル回路８は、直前に検出したＤＣオフセット量を保持して、ＩＦＶＧＡ５の出力から当該オフセット量を除去する。
【００７２】
なお、図示していないが、放送信号には、輝度信号だけでなく、色信号および音声信号が含まれている。ＤＣオフセットキャンセル回路８がＤＣオフセットを除去することにより、色信号や音声信号が欠落した場合、映像や音声に乱れが生じる。そのため、ローカル周波数制御回路１７は、ベースバンド信号の周波数が、放送信号に含まれる色信号の各周波数のスペクトラムおよび音声信号の各周波数スペクトラムと異なるように、ローカル信号の周波数を制御することが望ましい。なお、音声信号の周波数スペクトラムは、４．５ＭＨｚであり、色信号の周波数スペクトラムも、３．５７９５ＭＨｚと比較的高い周波数であるため、通常選択されるローカル信号の周波数では、色信号や音声信号が欠落することはない。
〔実施例２〕
本発明の第２の実施例について、図６ないし図８に基づいて説明すれば以下のとおりである。ＶＣＯ６からのローカル信号の周波数は、設定した周波数と実際の出力周波数との間に誤差がないことが理想的である。しかしながら、ローカル周波数制御回路１７が周波数制御を行うための基準信号を発生する基準発振器として、例えば水晶振動子を用いた場合、基準信号は周波数偏差を有しているため、ローカル信号に所望の周波数との周波数誤差が生じる場合がある。そこで、本実施例では、ローカル信号の周波数誤差を考慮して、ローカル信号の周波数を制御する構成について説明する。
【００７３】
図６は、本実施例に係るチューナ２００の構成を示すブロック図である。チューナ２００は、図１に示すチューナ１００において、フロントエンド回路１１０をフロントエンド回路２１０に置き換えた構成である。フロントエンド回路２１０は、フロントエンド回路１１０において、ローカル周波数制御回路１７をローカル周波数制御回路２７に置き換え、周波数誤差検出回路１０をさらに有する構成である。なお、本実施例では、説明の便宜上、図１に示すチューナ１００と同じ機能を有する部材については、同じ符号を付記し、その説明を省略する。
【００７４】
周波数誤差検出回路１０は、ＩＦＶＧＡ５からのＩＦ出力に基づいて、ローカル信号の
周波数誤差を検出する機能を有している。ローカル周波数制御回路２７は、周波数誤差検出回路１０が検出した周波数誤差に基づいて、ＶＣＯ６からのベースバンド信号の周波数が、ベースバンド信号を復調したビデオ信号に含まれる輝度信号の各周波数スペクトラムと異なるように、ローカル信号の周波数を制御する。本実施例では、アンテナ１によって受信されるＲＦ信号がＵＨＦ６２ｃｈのアナログテレビ信号（中心周波数：７６７ＭＨｚ、映像周波数：７６５．２５ＭＨｚ）である場合を例に、具体的に説明する。
【００７５】
まず、ローカル信号に周波数誤差がないと仮定した場合、ベースバンド信号の周波数が隣接する周波数スペクトラムの中間の周波数となるローカル信号の周波数は、例えば、
７６５．２５ＭＨｚ＋４．５ＭＨｚ／２８６＊（１１１−０．５）＝７６６．９８８６４ＭＨｚ
となる。このとき、図７の一点鎖線に示す周波数（１１０．５＊Ｆｈ）が欠落するので、輝度信号の周波数スペクトラムは欠落しない。
【００７６】
ここで、ローカル周波数制御回路２７が周波数制御を行うための基準信号に＋５１．１７ｐｐｍの周波数誤差がある場合、実際のローカル信号の周波数は、
７６６．９８８６４ＭＨｚ＊５１．１７／１０６＝３９.２４６８ｋＨｚ
だけ理想値より高い周波数（７６７．０２７８８ＭＨｚ）となる。
【００７７】
このとき、ベースバンド信号の周波数は、
７６７．０２７８８ＭＨｚ−７６５．２５ＭＨｚ＝１．７７７８８ＭＨｚ
であるので、図７の二点鎖線に示す周波数（１１３＊Ｆｈ）が欠落する。よって、輝度信号の周波数スペクトラムが欠落するので、映像に乱れが生じる可能性がある。
【００７８】
なお、ローカル信号に周波数誤差がない理想状態の場合、ＩＦＶＧＡ５からのＩＦ出力は、
７６６．９８８６４ＭＨｚ−７６５．２５ＭＨｚ＝１．７３８６４ＭＨｚ
となる。これに対し、ローカル周波数制御回路１７が周波数制御を行うための基準信号に＋５１．１７ｐｐｍの周波数誤差がある場合、ＩＦＶＧＡ５からのＩＦ出力は、
７６７．０２７８８ＭＨｚ−７６５．２５ＭＨｚ＝１．７７７８８ＭＨｚ
となり、期待値から３９.２４６８ｋＨｚ高くなる。
【００７９】
図６に示す周波数誤差検出回路１０は、実際のＩＦ周波数（１．７７７８８ＭＨｚ）が理想ＩＦ周波数（１．７３８６４ＭＨｚ）より、ずれていることを検出することにより、ローカル信号の周波数誤差（＋３９．２４６８ｋＨｚ）を検出する。ローカル周波数制御回路２７は、検出された周波数誤差に基づいて、ＶＣＯ６から出力されるべきローカル信号の周波数を得るために必要な、設定周波数を算出する。上記の例の場合、ローカル周波数制御回路２７は、
７６６．９８８６４ＭＨｚ／（１＋５１．１７／１０６）＝７６６．９４９３９ＭＨｚ
のローカル信号をＶＣＯ６から出力するように制御すれば、ＶＣＯ６から実際に出力されるローカル信号の周波数は７６６．９８８６４ＭＨｚ（＝７６６．９８８６５ＭＨｚ／（１＋５１．１７／１０６）＊（１＋５１．１７／１０６））となるので、図７の一点鎖線に示す周波数（１１０．５＊Ｆｈ）を欠落させることができる。
【００８０】
なお、周波数誤差検出回路１０が検出するローカル信号の周波数誤差には、ある程度のばらつきがあるため、周波数誤差検出回路１０が検出可能な周波数誤差の検出精度を考慮して、ローカル信号の周波数を設定することが望ましい。続いて、周波数誤差検出回路１０の周波数誤差の検出精度に相当する周波数幅と、ローカル信号の周波数の設定値との関係について説明する。
【００８１】
周波数誤差の検出精度△Ｆｅｒｒｏｒ＝５０Ｈｚと仮定すると、ローカル信号の周波数を、Ｎ＊Ｆｈ±ΔＦｅｒｒｏｒ（Ｎは整数）の範囲内のビデオ信号の周波数が欠落するように設定すると、輝度信号の周波数スペクトラムが欠落する可能性がある。そこで、ローカル周波数制御回路２７は、Ｎ＊Ｆｈ±ΔＦｅｒｒｏｒ（Ｎは整数）の範囲外のビデオ信号の周波数が欠落するように、ローカル信号の周波数を設定する。
【００８２】
図８は、輝度信号の周波数スペクトラムのうち（Ｎ−１）＊ＦｈおよびＮ＊Ｆｈ（Ｎは整数）の周波数スペクトラムを示している。同図において、Ｆｂ３およびＦｂ４は、それぞれ、（Ｎ−１）＊Ｆｈの周波数スペクトラムが欠落しない下限の周波数帯域、およびＮ＊Ｆｈの周波数スペクトラムが欠落しない上限の周波数帯域を示している。ベースバンド信号の周波数が（Ｎ−１）＊Ｆｈ＋ΔＦｅｒｒｏｒである場合、（Ｎ−１）＊Ｆｈの輝度信号が欠落する可能性があり、ベースバンド信号の周波数がＮ＊Ｆｈ−ΔＦｅｒｒｏｒである場合、Ｎ＊Ｆｈの輝度信号が欠落する可能性がある。したがって、一点鎖線双方向矢印にて示すように、ベースバンド信号の周波数が（Ｎ−１）＊Ｆｈ＋ΔＦｅｒｒｏｒとＮ＊Ｆｈ−ΔＦｅｒｒｏｒとの間であれば、輝度信号の周波数スペクトラムが欠落することはない。すなわち、（Ｎ−１）＊ＦｈおよびＮ＊Ｆｈの周波数スペクトラムの間で、ローカル周波数制御回路２７が選択可能なローカル信号の周波数の帯域幅は、
Ｎ＊Ｆｈ−ΔＦｅｒｒｏｒ−（（Ｎ−１）＊Ｆｈ＋ΔＦｅｒｒｏｒ）＝Ｆｈ−２＊ΔＦｅｒｒｏｒ
となる。
【００８３】
この式から明らかなように、周波数誤差の検出精度ΔＦｅｒｒｏｒの２倍の値は、輝度信号の各周波数スペクトラムの間隔（すなわちライン周波数）未満である必要があるが、周波数誤差の検出精度ΔＦｅｒｒｏｒは、通常５０Ｈｚ程度であるため、ローカル信号の周波数をどの値に設定しても輝度信号の周波数スペクトラムが欠落するという状況は生じない。
【００８４】
なお、周波数誤差の検出精度ΔＦｅｒｒｏｒは、小さいほうが望ましく、同様に、ＤＣオフセットキャンセル回路８がＤＣオフセットを除去することによりビデオ信号において欠落する周波数帯域幅ΔＤＣｏｆｆｓｅｔも、小さいほうが望ましい。本実施例では、周波数誤差の検出精度ΔＦｅｒｒｏｒの２倍の値と周波数帯域幅ΔＤＣｏｆｆｓｅｔとの和は、輝度信号の各周波数スペクトラムの間隔より小さくなっている。これにより、欠落する周波数が、少なくとも輝度信号の隣接する周波数スペクトラムの中間の周波数であれば、すなわち、輝度信号の隣接する周波数スペクトラム同士の相加平均であれば、輝度信号の周波数スペクトラムが欠落することはない。
【００８５】
また、本実施例においても、第１の実施例と同様に、ＶＣＯ６が発振可能なローカル信号の周波数間隔△Ｆｓｔｅｐは、小さいほうが望ましい。具体的には、周波数間隔△Ｆｓｔｅｐと、周波数誤差の検出精度ΔＦｅｒｒｏｒの２倍の値との和は、輝度信号の各周波数スペクトラムの間隔より小さいことが望ましい。これにより、ＤＣオフセットキャンセル回路８がＤＣオフセットを除去することによりビデオ信号において欠落する周波数を、輝度信号の任意の周波数スペクトラム間に選択することが可能となる。
【００８６】
さらに、周波数間隔△Ｆｓｔｅｐと、周波数誤差の検出精度ΔＦｅｒｒｏｒの２倍の値と、ＤＣオフセットキャンセル回路８がＤＣオフセットを除去することによりビデオ信号において欠落する周波数帯域幅ΔＤＣｏｆｆｓｅｔとの和は、輝度信号の各周波数スペクトラムの間隔より小さいことが望ましい。これにより、ローカル周波数制御回路２７による周波数制御がさらに容易になる。
【００８７】
本実施例では、周波数誤差検出回路１０は、ＩＦＶＧＡ５からのＩＦ出力に基づいてロ
ーカル信号の周波数誤差を検出しているが、これに限定されない。例えば、周波数誤差検出回路１０は、ローパスフィルタ４からの出力信号など、他の信号に基づいてローカル信号の周波数誤差を検出してもよい。
【００８８】
なお、ローカル周波数制御回路２７が周波数制御を行うための基準信号の周波数誤差は、一定ではなく、周囲の温度や電源立ち上げからの経過時間などによって変化する。したがって、一旦ローカル周波数制御回路２７によってローカル信号の周波数が設定されても、時間の経過とともに周波数誤差が増大すると、輝度信号の周波数スペクトラムが欠落する場合がある。
【００８９】
そこで、本実施例では、ローカル周波数制御回路２７は、周波数誤差検出回路１０によって検出される周波数誤差が所定の閾値を超える場合に、ローカル信号の周波数を切り替えて、欠落させるビデオ信号の周波数を再選択する。この閾値としては、例えば、ビデオ信号において欠落する周波数と、当該周波数に最も近い輝度信号の周波数スペクトラムとの差を閾値に設定する。例えば、電源立ち上げから最初の設定において、欠落させるビデオ信号の周波数が１１０．３＊Ｆｈであるとする。このとき、１１０＊Ｆｈの周波数スペクトラムとの差が０．３＊Ｆｈであるため、周波数誤差が０．３＊Ｆｈを超えると、１１０＊Ｆｈの周波数スペクトラムが欠落する可能性がある。そのため、周波数誤差が０．３＊Ｆｈを超えた場合、ローカル周波数制御回路２７は、例えば欠落させるビデオ信号の周波数が１１０．５＊Ｆｈとなるように、ローカル信号の周波数を切り替える。これにより、輝度信号の周波数スペクトラムの欠落を回避することができる。なお、ビデオ信号において欠落する周波数と、当該周波数に最も近い輝度信号の周波数スペクトラムとの差よりも小さい値を閾値（上記の例では、例えば０．２５＊Ｆｈ）に設定してもよい。これにより、輝度信号の周波数スペクトラムの欠落をさらに確実に回避することができる。
【００９０】
なお、ローカル周波数制御回路２７は、周波数誤差検出回路１０からの出力信号を常時観測してもよいが、所定の期間が経過する毎に、周波数誤差検出回路１０からの出力信号を観測することが望ましい。すなわち、周波数誤差検出回路１０は、所定の期間が経過する毎に、検出した周波数誤差をローカル周波数制御回路２７に出力することが望ましい。この所定の期間は、周波数誤差の変化速度に応じて適宜設定できる。例えば、１フレーム期間が経過する毎に、周波数誤差検出回路１０が周波数誤差をローカル周波数制御回路２７に出力する構成としてもよい。これにより、フロントエンド回路２１０の消費電力を抑えることができる。
【００９１】
また、ローカル周波数制御回路２７によるローカル信号の周波数の切り替えは、垂直帰線区間に行うことが望ましく、周波数誤差検出回路１０による周波数誤差の検出も、垂直帰線区間に行うことが望ましい。これにより、ローカル周波数制御回路２７および周波数誤差検出回路１０から発生するノイズによって映像の乱れが生じることを防止できる。
【００９２】
同様に、また、ＤＣオフセットキャンセル回路８によるＤＣオフセットの検出動作も、垂直帰線区間に行うことが望ましい。これにより、ＤＣオフセットの検出動作の際に発生するノイズによって映像が乱れることはない。
〔実施例３〕
本発明の第３の実施例について、図９に基づいて説明すれば以下のとおりである。
【００９３】
図９は、本実施例に係るテレビ放送受信機３００の構成を示すブロック図である。テレビ放送受信機３００は、アンテナ３１０およびアンテナ３１１からのＲＦ信号を受信する受信機であり、チューナ３２０・３２１、スイッチ３３０・３３１、ビデオ信号処理回路３４０、音声信号処理回路３４１、表示装置３５０、スピーカ３５１、システムコントローラ３６０、キー入力部３７０およびリモコン入力部３８０を備えている。
【００９４】
アンテナ３１０・３１１で受信されたＲＦ信号は、それぞれチューナ３２０・３２１に送られる。チューナ３２０・３２１は、ＲＦ信号をＩＦ信号に変換して、ＩＦ信号を映像信号および音声信号に復調する。チューナ３２０・３２１からの映像信号は、スイッチ３３０に出力され、チューナ３２０・３２１からの音声信号は、スイッチ３３１に出力される。
【００９５】
スイッチ３３０は、システムコントローラ３６０からの制御信号に基づき、ビデオ信号処理回路３４０に、チューナ３２０からの映像信号とチューナ３２１からの映像信号とのいずれを出力するかを選択する。また、スイッチ３３１は、システムコントローラ３６０からの制御信号に基づき、音声信号処理回路３４１に、チューナ３２０からの音声信号とチューナ３２１からの音声信号とのいずれを出力するかを選択する。ビデオ信号処理回路３４０は、現在選択されているチャンネルの映像信号を表示装置３５０に出力する。また、音声信号処理回路３４１は、現在選択されているチャンネルの音声信号をスピーカ３５１に出力する。
【００９６】
キー入力部３７０は、筐体の前面に設けられたキーの入力操作を受け付ける機能ブロックである。また、リモコン入力部３８０は、リモコン３８１からの操作信号を受け付ける機能ブロックである。システムコントローラ３６０は、キー入力部３７０およびリモコン入力部３８０からの操作信号に基づき、チューナ３２０・３２１およびスイッチ３３０・３３１の制御を行う。
【００９７】
ここで、本実施例に係るテレビ放送受信機３００は、チューナ３２０・３２１として、第１の実施例に係るチューナ１００または第２の実施例に係るチューナ２００を備えている。これにより、テレビ放送受信機３００は、アンテナ３１０・３１１で受信されるＲＦ信号がアナログテレビ信号の場合であっても、輝度信号の周波数スペクトラムが欠落することがないため、良好な映像表示を行うことができる。なお、チューナ３２１用の信号入力はアンテナ３１０から供給する構成（アンテナ３１１がない構成）でもあっても良い。
【００９８】
〔実施例の総括〕
本発明は上述した各実施例に限定されるものではなく、請求項に示した範囲で種々の変更が可能であり、異なる実施例にそれぞれ開示された技術的手段を適宜組み合わせて得られる実施例についても本発明の技術的範囲に含まれる。
【産業上の利用可能性】
【００９９】
本発明は、液晶表示装置などのテレビの他、テレビ放送受信機能を有するパーソナルコンピュータや携帯電話などに利用することができる。
【符号の説明】
【０１００】
１  アンテナ
２  ＲＦＶＧＡ
３  ミキサ（周波数変換回路）
４  ローパスフィルタ
５  ＩＦＶＧＡ
６  ＶＣＯ（局所発振回路）
７  ローカル周波数制御回路
８  ＤＣオフセットキャンセル回路
９  復調回路
１０  周波数誤差検出回路
１７  ローカル周波数制御回路
２７  ローカル周波数制御回路
１００  チューナ
１１０  フロントエンド回路
２００  チューナ
２１０  フロントエンド回路
３００  テレビ放送受信機
３１０  アンテナ
３１１  アンテナ
３２０  チューナ
３２１  チューナ
３３０  スイッチ
３３１  スイッチ
３４０  ビデオ信号処理回路
３４１  音声信号処理回路
３５０  表示装置
３５１  スピーカ
３６０  システムコントローラ
３７０  キー入力部
３８０  リモコン入力部
３８１  リモコン
４００  チューナ
４１０  フロントエンド回路
【図１】
2011055202.tif 000003
【図２】
2011055202.tif 000004
【図３】
2011055202.tif 000005
【図４】
2011055202.tif 000006
【図５】
2011055202.tif 000007
【図６】
2011055202.tif 000008
【図７】
2011055202.tif 000009
【図８】
2011055202.tif 000010
【図９】
2011055202.tif 000011
【図１０】
2011055202.tif 000012
【図１１】
2011055202.tif 000013
【図１２】
2011055202.tif 000014